(57)【要約】【課題】紫外線、及び白色光を照射できるＬＥＤユニット、及び照明装置を提供すること。【解決手段】出射開口８を覆う前面カバー４を備えた照明装置１に設けられるＬＥＤユニット６において、紫外線を放射する紫外線ＬＥＤ１０と、白色光を放射する白色光ＬＥＤ１２と、前記紫外線ＬＥＤ１０を囲む第１反射鏡１６、及び、前記白色光ＬＥＤ１２を囲む第２反射鏡１８と、を有し、前記第１反射鏡１６、及び前記第２反射鏡１８の先端部１６Ａ、１８Ａと前記前面カバー４の間の隙間を埋める隙間埋め部材２６を備える構成とした。【選択図】図２
2017147290.tif 000002
【特許請求の範囲】
【請求項１】
出射開口を覆うカバーを備えた照明装置に設けられるＬＥＤユニットにおいて、
紫外線を放射する紫外線ＬＥＤと、
白色光を放射する白色光ＬＥＤと、
前記紫外線ＬＥＤを囲む第１反射鏡、及び、前記白色光ＬＥＤを囲む第２反射鏡の少なくともいずれかと、を有し、
前記第１反射鏡、及び前記第２反射鏡の少なくともいずれかの先端部と前記カバーの間の隙間を埋める隙間埋め部材を備え、或いは、前記第１反射鏡、及び前記第２反射鏡の少なくともいずれかの先端部が前記カバーに隙間無く接触する
ことを特徴とするＬＥＤユニット。
【請求項２】
前記紫外線ＬＥＤ、及び前記白色光ＬＥＤを実装した実装基板を有し、
前記先端部が前記カバーに直接、又は前記隙間埋め部材を介して接触している前記第１反射鏡、及び前記第２反射鏡の底部に、前記実装基板との間の隙間を埋める介在部材を備え、或いは、前記先端部が前記カバーに直接、又は前記隙間埋め部材を介して接触している前記第１反射鏡、及び前記第２反射鏡の底部が前記実装基板に隙間無く接触している、
ことを特徴とする請求項１に記載のＬＥＤユニット。
【請求項３】
出射開口を覆う前記カバーを備え、
請求項１または２に記載のＬＥＤユニットを備えたことを特徴とする照明装置。
【請求項４】
前記隙間埋め部材が前記カバーに設けられていることを特徴とする請求項３に記載の照明装置。
【請求項５】
紫外線を放射する紫外線ＬＥＤと、
白色光を放射する白色光ＬＥＤと、
前記紫外線ＬＥＤを囲む第１反射鏡と、
出射開口に設けられ、前記紫外線ＬＥＤ、前記白色光ＬＥＤ、及び前記第１反射鏡を覆うカバーと、を備え、
前記カバーの面内には、前記紫外線ＬＥＤ、及び前記第１反射鏡から紫外線が入射する箇所に、当該紫外線の裏面反射を抑える紫外線非反射部が設けられている
ことを特徴とする照明装置。
【発明の詳細な説明】
【技術分野】
【０００１】
本発明は、ＬＥＤユニット、及び照明装置に関する。
【背景技術】
【０００２】
油膜に紫外線を照射し、油を構成する分子を励起して蛍光させ、これを撮影した画像に基づいて油膜を検知する油膜検知装置が知られており（例えば、特許文献１参照）、油膜検知装置は、例えば次の用途に用いられている。すなわち、海面、河川、又は湖沼などに流出した油の検出の用途である。また例えば、発電所内、或いは変電所内に設けられた排水ピットにおいて、外部（河川や海）に流出する可能性がある油を検出し、流出を防止する用途である。
一方、発光ダイオード（以下、ＬＥＤと言う）を備えた各種のランプや照明装置が知られている（例えば、特許文献２、３、４、及び５参考）。
【先行技術文献】
【特許文献】
【０００３】
【特許文献１】特開平１０−３１１７７１号公報
【特許文献２】特開２００４−１０３４４３号公報
【特許文献３】特開２０１１−４０７２４号公報
【特許文献４】再公表２０１０−６１９１３号公報
【特許文献５】特開２０１３−１６１９０９号公報
【発明の概要】
【発明が解決しようとする課題】
【０００４】
しかしながら、ＬＥＤを光源としたＬＥＤユニット、及び照明装置において、油膜を蛍光させるなどの用途に用いられる紫外線と、撮影などの用途に用いられる白色光とを照射できるものが無かった。
そこで、本発明は、紫外線、及び白色光を照射できるＬＥＤユニット、及び照明装置を提供することを目的とする。
【課題を解決するための手段】
【０００５】
本発明は、出射開口を覆うカバーを備えた照明装置に設けられるＬＥＤユニットにおいて、紫外線を放射する紫外線ＬＥＤと、白色光を放射する白色光ＬＥＤと、前記紫外線ＬＥＤを囲む第１反射鏡、及び、前記白色光ＬＥＤを囲む第２反射鏡の少なくともいずれかと、を有し、前記第１反射鏡、及び前記第２反射鏡の少なくともいずれかの先端部と前記カバーの間の隙間を埋める隙間埋め部材を備え、或いは、前記第１反射鏡、及び前記第２反射鏡の少なくともいずれかの先端部が前記カバーに隙間無く接触することを特徴とする。
【０００６】
また本発明は、上記ＬＥＤユニットにおいて、前記紫外線ＬＥＤ、及び前記白色光ＬＥＤを実装した実装基板を有し、前記先端部が前記カバーに直接、又は前記隙間埋め部材を介して接触している前記第１反射鏡、及び前記第２反射鏡の底部に、前記実装基板との間の隙間を埋める介在部材を備え、或いは、前記先端部が前記カバーに直接、又は前記隙間埋め部材を介して接触している前記第１反射鏡、及び前記第２反射鏡の底部が前記実装基板に隙間無く接触している、ことを特徴とする。
【０００７】
また本発明は、出射開口を覆う前記カバーを備え、上記のＬＥＤユニットを備えたことを特徴とする照明装置である。
【０００８】
また本発明は、上記照明装置において、前記隙間埋め部材が前記カバーに設けられていることを特徴とする。
【０００９】
また本発明は、紫外線を放射する紫外線ＬＥＤと、白色光を放射する白色光ＬＥＤと、前記紫外線ＬＥＤを囲む第１反射鏡と、出射開口に設けられ、前記紫外線ＬＥＤ、前記白色光ＬＥＤ、及び前記第１反射鏡を覆うカバーと、を備え、前記カバーの面内には、前記紫外線ＬＥＤ、及び前記第１反射鏡から紫外線が入射する箇所に、当該紫外線の裏面反射を抑える紫外線非反射部が設けられていることを特徴とする照明装置である。
【発明の効果】
【００１０】
本発明によれば、紫外線ＬＥＤと白色光ＬＥＤとを備えるので、紫外線、及び白色光を同時、或いは選択的に点灯して照明できる。
【図面の簡単な説明】
【００１１】
【図１】本発明の第１実施形態に係る照明装置の平面構成を模式的に示す図である。
【図２】図１のＩ−Ｉ断面線で切った断面図である。
【図３】第１実施形態の変形例に係る照明装置の構成を示す断面図である。
【図４】本発明の第２実施形態に係る照明装置の構成を示す断面図である。
【図５】第１、及び第２実施形態に係る照明装置の変形例を示す平面図である。
【図６】第１、及び第２実施形態に係る照明装置の他の変形例を示す平面図である。
【発明を実施するための形態】
【００１２】
以下、図面を参照して本発明の実施形態について説明する。
【００１３】
［第１実施形態］
図１は本実施形態に係る照明装置１の平面構成を模式的に示す図である。図２は図１のＩ−Ｉ断面線で切った断面図である。
照明装置１は、ＬＥＤを光源とし、かつ、紫外線、及び白色光を同時、又は選択的に放射し、周囲、又は対象物を照明する装置である。図１及び図２に示すように、照明装置１は、ケース２と、前面カバー４と、ケース２に収められたＬＥＤユニット６と、を備えている。また照明装置１は、図１に示すように、ＬＥＤユニット６に電力を供給する電源回路や、ＬＥＤユニット６を点灯する点灯回路、この点灯を制御する制御回路などの各種の電気回路を備えた電気回路部５と、人感センサ９とを備えている。人感センサ９は、紫外線の照射範囲における人の侵入を検知するものである。これら電気回路部５、及び人感センサ９は、ケース２の内、及び外のいずれに配置されていてもよい。
【００１４】
ケース２は、照明装置１の筐体を成すものであり、放熱性に優れ、かつ屋外での使用に適した高熱伝導性、及び耐食性を有した材料から形成されている。ケース２の前面には、紫外線、及び白色光を出射する出射開口８が形成されている。また、図２に示すように、ケース２の底面２Ａには、ＬＥＤユニット６が載置される放熱ベース７が設けられている。放熱ベース７は、例えばアルミニウム等の高熱伝導性材料から形成され、ＬＥＤユニット６の発熱が伝えられる、いわゆるヒートシンクである。放熱ベース７に伝えられた熱の一部は、ケース２に伝えられて当該ケース２から外部に放熱され、一部はケース２の中の雰囲気に放熱される。
【００１５】
前面カバー４は、出射開口８を閉塞する、いわゆる板状のカバーであり、前面グローブとも称される。前面カバー４は、紫外線、及び白色光を透過し、かつ、例えば紫外線に対して耐光性を有した例えば石英ガラスなどの材料から形成されている。
【００１６】
ＬＥＤユニット６は、紫外線、及び白色光を放射可能なＬＥＤ光源である。
すなわち、ＬＥＤユニット６は、複数の紫外線ＬＥＤ１０と、複数の白色光ＬＥＤ１２と、これらが実装された実装基板１４と、複数の第１反射鏡１６と、複数の第２反射鏡１８と、を備えている。
紫外線ＬＥＤ１０は、紫外線を放射するＬＥＤである。白色光ＬＥＤ１２は、いわゆる白色光を放射するＬＥＤである。
【００１７】
これら紫外線ＬＥＤ１０、及び白色光ＬＥＤ１２のそれぞれは放射面１０Ａ、１２Ａを出射開口８に向けて実装基板１４に配置され、上記電気回路部５によって点灯が制御される。この点灯制御によって、紫外線ＬＥＤ１０の点灯による紫外線照明、及び白色光ＬＥＤ１２の点灯による白色光照明が同時、又は選択的に行われる。
また少なくとも紫外線ＬＥＤ１０の点灯中において、電気回路部５は、人感センサ９の検出信号に基づき、紫外線の照射範囲内への人の侵入が検知された場合に、全ての紫外線ＬＥＤ１０を消灯する。これにより、例えば照明装置１が屋外に設置された場合に、紫外線の照射範囲に人が意図せず侵入したときでも、速やかに紫外線の照射を停止できる。
【００１８】
このように、この照明装置１は、紫外線ＬＥＤ１０と白色光ＬＥＤ１２とを備え、それぞれを同時、又は選択的に点灯できる。これにより、例えば、対象物に紫外線で照らしながら、白色光の点灯により対象物の周囲を明るくし、撮影カメラで撮影する、などの用途に照明装置１を好適に用いることができる。
【００１９】
紫外線ＬＥＤ１０と白色光ＬＥＤ１２の種類や分光特性、及び白色光ＬＥＤ１２の色温度は、照明の用途に応じて適宜に選択可能である。
例えば、この照明装置１が水面の油膜を検知する油膜検知装置の照明用の装置に用いられる場合を説明する。この場合、白色光ＬＥＤ１２には、青色光によって蛍光する蛍光体を備え、当該蛍光体を蛍光させる青色発光スペクトル（ピーク波長４４０ｎｍ）と、当該蛍光体の発光スペクトル（ピーク波長約５４０ｎｍ）とが合成された分光分布を有し、色温度が５７００ＫのＬＥＤが好適に用いられる。また、紫外線ＬＥＤ１０には、励起された油の蛍光波長を検出するのに最適な３６５ｎｍにピークをもつＬＥＤが好適に用いられる。
【００２０】
実装基板１４は、上記紫外線ＬＥＤ１０、及び白色光ＬＥＤ１２を実装した基板であり、放熱ベース７に載置されている。このＬＥＤユニット６では、全ての紫外線ＬＥＤ１０、及び白色光ＬＥＤ１２が１枚の実装基板１４に実装されている。具体的には、図１に示すように、実装基板１４には、紫外線ＬＥＤ１０と白色光ＬＥＤ１２とが隣り合わせに交互に配置されている。
なお、これら紫外線ＬＥＤ１０、及び白色光ＬＥＤ１２は、複数の実装基板１４に適宜に分けて実装されてもよい。
【００２１】
第１反射鏡１６は、紫外線ＬＥＤ１０を包囲する形状を成し、紫外線ＬＥＤ１０が放射する紫外線を反射によって配光制御する光学部品である。このＬＥＤユニット６では、第１反射鏡１６が１個の紫外線ＬＥＤ１０ごとに設けられている。より具体的には、図２に示すように、第１反射鏡１６は、先端部１６Ａが開口した回転曲面形状であり、底部１６Ｂが実装基板１４に取り付けられている。実装基板１４と第１反射鏡１６の底部１６Ｂの間には介在部材２２が設けられており、この介在部材２２によって第１反射鏡１６と実装基板１４の間に生じる隙間が埋められる。この介在部材２２には、耐紫外線を有し、紫外線を遮光する任意の材料が用いられる。この材料には、例えば、シリコーンゴム、ポリカーボネート（ＰＣ）の樹脂素材や、アルミナ等のセラミックス材料が挙げられる。
そして、図２に示すように、紫外線ＬＥＤ１０が第１反射鏡１６のそれぞれの中に配置されることで、紫外線ＬＥＤ１０の紫外線が第１反射鏡１６の底部１６Ｂからケース２の中に漏れ出すことが防止される。
【００２２】
第２反射鏡１８は、白色光ＬＥＤ１２を包囲する形状を成し、白色光ＬＥＤ１２が放射する白色光を反射によって配光制御する光学素子であり、１個の白色光ＬＥＤ１２ごとに設けられている。第２反射鏡１８も第１反射鏡１６と同様に、図２に示すように、先端部１８Ａが開口した回転曲面形状であり、底部１８Ｂが実装基板１４に取り付けられている。実装基板１４と第２反射鏡１８の底部１８Ｂの間には介在部材２２が設けられており、この介在部材２２によって第２反射鏡１８と実装基板１４の間に生じる隙間が埋められる。この介在部材２２には、耐紫外線性を有し、紫外線を遮光する任意の材料が用いられる。
この第２反射鏡１８のそれぞれの中に白色光ＬＥＤ１２が配置されることで、第２反射鏡１８の外の光が底部１８Ｂから内部に入り込み、この光に白色光ＬＥＤ１２が曝されることが防止される。
【００２３】
第１反射鏡１６、及び第２反射鏡１８のそれぞれの反射面の形状は、紫外線ＬＥＤ１０、及び白色光ＬＥＤ１２を包囲する形状であれば、所望の配光に応じた適宜な形状が採用される。この形状には、例えば、球面形状や楕円面形状、放物面形状などの曲面形状、或いは、紫外線ＬＥＤ１０又は白色光ＬＥＤ１２の周りに複数の平面の反射面を配置した形状などが挙げられる。
【００２４】
図２に示すように、第１反射鏡１６、及び第２反射鏡１８のそれぞれは、先端部１６Ａ、１８Ａが前面カバー４に向けて延びている。このＬＥＤユニット６では、それぞれの先端部１６Ａ、１８Ａと前面カバー４の間には隙間が設けられていない。
具体的には、それぞれの先端部１６Ａ、１８Ａと前面カバー４の間には、隙間埋め部材２６が設けられている。このＬＥＤユニット６では、これら隙間埋め部材２６は、第１反射鏡１６、及び第２反射鏡１８の先端部１６Ａ、１８Ａの縁部に装着され、前面カバー４との間の隙間を埋めるものであり、耐紫外線性を有し、紫外線を遮光する任意の材料が用いられる。隙間埋め部材２６には例えば先端部１６Ａに、１８Ａに装着自在なシリコンパッキンが好適に用いられる。
【００２５】
このように、第１反射鏡１６、及び第２反射鏡１８の先端部１６Ａ、１８Ａと前面カバー４との間に隙間が埋められることで、第１反射鏡１６の先端部１６Ａから放射された紫外線Ｈ１（図２）が前面カバー４を介し第２反射鏡１８の先端部１８Ａから内部に入り込むことが防止される。
これにより、第１反射鏡１６、及び、その内部の紫外線ＬＥＤ１０から放射された紫外線が照明装置１のケース２の内部で第１反射鏡１６から漏れることなく前面カバー４から外部に出射される。したがって、紫外線ＬＥＤ１０と並んで配列された白色光ＬＥＤ１２がケース２の中に漏れた紫外線に曝されることがなく、当該紫外線による白色光ＬＥＤ１２の劣化が抑えられる。
【００２６】
以上説明した本実施形態によれば、次のような効果を奏する。
本実施形態の照明装置１では、ＬＥＤユニット６が紫外線ＬＥＤ１０と、白色光を放射する白色光ＬＥＤ１２と、を備えるので、紫外線、及び白色光を同時、或いは選択的に点灯して照明できる。
これに加え、照明装置１は、第１反射鏡１６、及び第２反射鏡１８の各々の先端部１６Ａ、１８Ａと前面カバー４の間の隙間を埋める隙間埋め部材２６を備える。これにより、第１反射鏡１６の先端部１６Ａから放射された紫外線Ｈ１（図２）が第２反射鏡１８の先端部１８Ａから内部に入り込むことが防止され、紫外線による白色光ＬＥＤ１２の劣化が抑えられる。
【００２７】
また本実施形態のＬＥＤユニット６では、第１反射鏡１６、及び第２反射鏡１８のそれぞれの底部１６Ｂ、１８Ｂに、実装基板１４との間の隙間を埋める介在部材２２を備える構成とした。
これにより、第１反射鏡１６の内部の紫外線が、この第１反射鏡１６と実装基板１４の間から漏れ出し、周囲の白色光ＬＥＤ１２を照らして、これらの白色光ＬＥＤ１２を劣化させてしまうこともない。
【００２８】
［第１実施形態の変形例］
第１実施形態の照明装置１、及びＬＥＤユニット６は、次のような変形が可能である。
図３は、本変形例に係る照明装置１０１の構成を示す断面図である。なお、同図において、上述の実施形態で説明した部材については、同一の符号を付し、その説明を省略する。
照明装置１０１では、図３に示すように、ＬＥＤユニット１０６が備える第１反射鏡１１６、及び第２反射鏡１１８の先端部１１６Ａ、１１８Ａが前面カバー４に直接、接触するまで延び、かつ、これら先端部１１６Ａ、１１８Ａが前面カバー４に隙間無く接触している。これにより、第１反射鏡１１６、及び第２反射鏡１１８の先端部１１６Ａ、１１８Ａに隙間埋め部材２６を設けなくとも、第２反射鏡１１８の内部への紫外線の入り込みを防止できる。
【００２９】
これに加え、この照明装置１０１では、第１反射鏡１１６、及び第２反射鏡１１８の底部１１６Ｂ、１１８Ｂが実装基板１４に隙間無く直接、接触している。これにより、これら底部１１６Ｂ、１１８Ｂと実装基板１４の間に介在部材２２を設けずとも、第１反射鏡１１６と実装基板１４の隙間からの紫外線の漏れ、及び、実装基板１４との間の隙間から第２反射鏡１１８の内部への光の侵入が防止される。
【００３０】
なお、上述した照明装置１、及び照明装置１０１において、第１反射鏡１６、１１６の先端部１６Ａ、１１６Ａのみ、又は、第２反射鏡１８、１１８の先端部１８Ａ，１１８Ａのみ、前面カバー４との間の隙間を無くした構成としてもよい。例えば、第１反射鏡１６、１１６の先端部１６Ａ、１１６Ａのみ前面カバー４との間の隙間を無くし、先端部１６Ａ、１１６Ａから照明装置１、１０１の内部への紫外線の漏れを防止する。
【００３１】
また上述した照明装置１、１０１において、第１反射鏡１６、１１６及び第２反射鏡１８、１１８の両方に介在部材２２を設け、実装基板１４との間の隙間を無くす構成とした。しかしながら、第１反射鏡１６、１１６と、第２反射鏡１８、１１８との一方に介在部材２２を設けてもよい。
例えば、第１反射鏡１６、１１６の先端部１６Ａ、１１６Ａと前面カバー４との間の隙間が無くされた構成においては、第１反射鏡１６、１１６と実装基板１４の間にのみ介在部材２２を設けてもよい。この構成によれば、第１反射鏡１６、１１６の先端部１６Ａ、１１６Ａ、及び実装基板１４の側の基端部のいずれにおいても、照明装置１、１０１の内部への紫外線の漏れが防止され、白色光ＬＥＤ１２が紫外線に曝されることが防止される。また、白色光ＬＥＤ１２の第２反射鏡１８、１１８では、介在部材２２を設けなくてもよいので、実装基板１４の側に当該実装基板１４に接するまで反射面を延ばして設計することが可能となり、白色光の反射効率の低下が抑えられる。
【００３２】
［第２実施形態］
図４は、本発明の第２実施形態に係る照明装置２０１の構成を示す断面図である。なお、同図において、上述の実施形態で説明した部材については、同一の符号を付し、その説明を省略する。
本実施形態の照明装置２０１は、図４に示すように、ＬＥＤユニット２０６が備える第１反射鏡２１６、及び第２反射鏡２１８の先端部２１６Ａ、２１８Ａと、前面カバー４との間に隙間δが設けられており、この隙間δが埋められていない。
この場合において、何ら対策を施さなければ、第１反射鏡２１６の先端部から放射された紫外線が前面カバー４に入射したときに裏面反射光Ｈａが生じると、第２反射鏡２１８の先端部２１８Ａと前面カバー４の間から裏面反射光Ｈａが第２反射鏡２１８の内部に入り込んでしまう。この結果、白色光ＬＥＤ１２が紫外線の裏面反射光Ｈａに曝され劣化してしまう。
【００３３】
そこで本実施形態においては、図４に示すように、前面カバー４の入射面４Ａ（紫外線ＬＥＤ１０と対向する面）の面内に、紫外線の裏面反射を抑えるコーティング膜２３０が紫外線非反射部として設けられている。このコーティング膜２３０は、前面カバー４の入射面４Ａのうちの少なくとも、紫外線ＬＥＤ１０、及び第１反射鏡２１６から紫外線が入射する箇所の全部に設けられている。
またコーティング膜２３０には、例えばＡＲコート膜（反射防止膜）、が好適に用いられる。
【００３４】
そして、本実施形態では、前面カバー４の入射面４Ａの面内に、紫外線の裏面反射を抑えるコーティング膜２３０が設けられることで、紫外線の裏面反射光Ｈａが抑えられ、当該裏面反射光Ｈａに白色光ＬＥＤ１２が曝されることによる劣化が防止される。
【００３５】
なお、この第２実施形態において、紫外線の裏面反射光Ｈａを抑えるために、コーティング膜２３０に代えて、前面カバー４を反射防止構造（モスアイ）としてもよい。
【００３６】
上述した第１実施形態、第２実施形態、及び変形例のそれぞれは、あくまでも本発明の一態様の例示であり、本発明の要旨の範囲において変形、及び応用が可能である。
【００３７】
例えば、紫外線ＬＥＤ１０、及び白色光ＬＥＤ１２の配置は、格子状に限らず任意である。
例えば図５に示すように、紫外線ＬＥＤ１０、及び白色光ＬＥＤ１２を円環状に交互に配置したＬＥＤユニット３０６を有した照明装置３０１を構成することもできる。この場合、照明装置３０１のケース３０２、前面カバー３０４、及び実装基板３１４は、紫外線ＬＥＤ１０、及び白色光ＬＥＤ１２の円環状配置に合わせて平面視円形とすることができる。
さらに、図６に示すように、紫外線ＬＥＤ１０、及び白色光ＬＥＤ１２の円環状配置に合わせ、ケース４０２、前面カバー４０４、及び実装基板４１４の略中央部に貫通孔部４４０が設けられたＬＥＤユニット４０６、及び当該ＬＥＤユニット４０６を備えた照明装置４０１を構成することもできる。
【００３８】
また例えば、第１反射鏡１６、１１６、２１６は、１つの紫外線ＬＥＤ１０ごとに設けるのではなく、複数の紫外線ＬＥＤ１０ごとに設けてもよい。同様に、第２反射鏡１８、１１８、２１８は、１つの白色光ＬＥＤ１２ごとに設けるのではなく、複数の白色光ＬＥＤ１２ごとに設けてもよい。
【００３９】
上述した照明装置１、１０１、２０１、３０１、４０１は、紫外線の照射で油膜を蛍光させ、これを撮影して観察する技術における紫外線光源、及び白色光源として最適である。このような技術においては、従来、放電ランプであるブラックライトが用いられている。このようなブラックライトを用いる場合に比べ、照明装置１、１０１、２０１、３０１、４０１によれば、低消費電力、かつ、低発熱の装置が実現できる。
【符号の説明】
【００４０】
１、１０１、２０１、３０１、４０１  照明装置
２  ケース
４  前面カバー（カバー）
６、１０６、２０６、３０６、４０６  ＬＥＤユニット
８  出射開口
９  人感センサ
１０  紫外線ＬＥＤ
１２  白色光ＬＥＤ
１４  実装基板
１６  第１反射鏡
１６Ａ  第１反射鏡の先端部
１６Ｂ  第１反射鏡の底部
１８Ａ  第２反射鏡の先端部
１８Ｂ  第２反射鏡の底部
２２  介在部材
２６  隙間埋め部材
２３０  コーティング膜（紫外線非反射部）
Ｈａ  裏面反射光
【図１】
2017147290.tif 000003
【図２】
2017147290.tif 000004
【図３】
2017147290.tif 000005
【図４】
2017147290.tif 000006
【図５】
2017147290.tif 000007
【図６】
2017147290.tif 000008